(57)【要約】  従来の注射器よりも簡単な構成で、複数の薬液を簡単に注入又は吸引可能なシリンジなどを提供する。  吐出口５００を具備する外筒２００と、外筒２００の内部に設けられる１つ以上の内筒３００と、外筒２００に充填された薬液を吐出口５００に向けて押す外筒用ピストン７００と、内筒３００に充填された薬液を吐出口５００に向けて押す内筒用ピストン８００と、を備えたことを特徴とするシリンジ１００である。
2007129445.tif 000002
【特許請求の範囲】
【請求項１】
吐出口を具備する外筒と、
前記外筒の内部に設けられる１つ以上の内筒と、
前記外筒に充填された薬液を前記吐出口に向けて押す外筒用ピストンと、
前記内筒に充填された薬液を前記吐出口に向けて押す内筒用ピストンと、
を備えたことを特徴とするシリンジ。
【請求項２】
前記外筒と前記内筒とが同心円状に設けられていることを特徴とする請求項１に記載のシリンジ。
【請求項３】
前記内筒を支持する支持部材が前記吐出口側に設けられていることを特徴とする請求項１又は請求項２に記載のシリンジ。
【請求項４】
前記吐出口から前記内筒に対する薬液の逆流を防止する弁を備えたことを特徴とする請求項１〜請求項３のいずれか１項に記載のシリンジ。
【請求項５】
前記外筒用ピストン及び前記内筒用ピストンの少なくとも一方の前記吐出側の形状が、山形状であることを特徴とする請求項１〜請求項４のいずれか１項に記載のシリンジ。
【請求項６】
前記外筒用ピストン及び前記内筒用ピストンの少なくとも一方の前記吐出側と反対側に、前記外筒用ピストン、前記内筒用ピストンを押す押部材の先端とロック可能なロック部が設けられている、ことを特徴とする請求項１〜請求項５のいずれか１項に記載のシリンジ。
【請求項７】
請求項１〜請求項６のいずれか１項に記載のシリンジが取り付けられていることを特徴とする薬液注入装置。
【発明の詳細な説明】
【技術分野】
【０００１】
本発明は、シリンジ及び薬液注入装置に関する。
【背景技術】
【０００２】
ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置などの被験者の透視画像である断層画像を撮像する透視撮像装置や、ＣＴアンギオ装置、ＭＲＡ（ＭＲ  Ａｎｇｉｏ）装置などの被験者の透視画像である血管画像を撮像する医療装置などを使用する際には、被験者に造影剤や生理食塩水などの薬液を注入などすることがある。この薬液の注入は、シリンジに充填された薬液がピストンに押されてシリンジの吐出口から吐出することにより行われるところ、従来、次のようなシリンジが提案された。すなわち、注射器のシリンダの内部に、シリンダと同軸に固定型小シリンダを設けており、外側のシリンダはドーナツ状の空間を有することになる注射器である（特許文献１の図２７参照）。この注射器においては、固定型小シリンダ内に、仕切部と小プランジャが、シリンダの方にはドーナツ状の仕切部と大プランジャがそれぞれ嵌装される。固定型小シリンダの仕切部と大プランジャとの間に室は、シリンダの仕切部と大プランジャとの間にはドーナツ状の室が形成され、これらの室にそれぞれ異なる注射剤が収容される（特許文献１の段落００６０参照）。
【特許文献１】特開平８−３０８９２８号公報（特に図２７）
【発明の開示】
【発明が解決しようとする課題】
【０００３】
しかしながら、上記従来の注射器は、上記したところからも明らかなように複雑な構成をしているため、これを動作させる際にも、複雑な工程を踏む必要がある。以下、上記従来の注射器を動作させる工程について説明する。
上記従来の注射器において、まず、押圧部を押して小プランジャを注射針に向けて押し込むと、室の圧力が上昇し、仕切部が注射針の方に移動する。仕切部の注射針側の空気は、貫通孔から室に入り、室の圧力を上げる。これに応じてドーナツ状の仕切部も注射針側に移動する。仕切部の左側にある空気は、空気抜きの孔から外部に排出される。仕切部が移動して貫通孔を越えると、貫通孔を通って室内の注射剤が室に入り、二つの注射剤が混合される。ドーナツ状の仕切部は、圧力の上昇に伴ってさらに注射針に向かって進行する（特許文献１の段落００６２参照）。
小プランジャの押圧部が、大プランジャの押圧部に重なると、大プランジャも一緒に注射針に向かって進みだす。これにより、室の圧力がさらに上昇し、ドーナツ状の仕切部は、やがて貫通孔の左側まで移動し、室と注射針とは貫通孔と端末連通部とを介して連通状態となる。この状態で針を上に向けて室内の空気を注射針から外部に排出し、その後、注射することになる。なお、貫通孔から針までの空間は、出来るだけ小さくなるように作り、注射液の残量を極力少量にするようにすべきである（特許文献１の段落００６３参照）。
以上説明したように、上記従来の注射器には、複雑な構成をしているため、これを動作させる際にも、複雑な工程を踏む必要があるという問題があった。
そこで、本発明は、従来の注射器よりも簡単な構成で、複数の薬液を簡単に注入又は吸引可能なシリンジ及び薬液注入装置を提供することを目的とする。
【課題を解決するための手段】
【０００４】
本発明によれば、上記した課題は、次の手段により解決される。【０００５】
第１の発明は、吐出口を具備する外筒と、前記外筒の内部に設けられる１つ以上の内筒と、前記外筒に充填された薬液を前記吐出口に向けて押す外筒用ピストンと、前記内筒に充填された薬液を前記吐出口に向けて押す内筒用ピストンと、を備えたことを特徴とするシリンジである。
第1の発明によれば、外筒用ピストンを押せば外筒の内部に充填されている薬液を吐出し、外筒用ピストンを引けば外筒の内部に薬液が吸引することが可能である。また、第1の発明によれば、内筒用ピストンを押せば内筒の内部に充填されている薬液を吐出し、内筒用ピストンを引けば内筒の内部に薬液を吸引することが可能である。したがって、第1の発明によれば、従来の注射器よりも簡単な構成で、複数の薬液を簡単に注入又は吸引可能が可能となる。
内筒の数は２つ以上ある場合は、外筒の内側に内筒が設けられ、この内筒の内側に内筒が順次設けられる。
また、外筒用ピストン及び内筒用ピストンは、それぞれ外筒及び内筒に充填された薬液を吐出口に向けて押せれば足りる。もっとも、外筒用ピストン及び内筒用ピストンには、「押す」に加えて「引く」ことも可能なピストンが含まれる。本発明に係るシリンジは、外筒用ピストン及び内筒用ピストンを「押す」及び「引く」ことが可能な場合、薬液を注入可能なシリンジであるばかりでなく、薬液を含む液体を吸引可能なシリンジともなる。
なお、薬液とは、たとえば、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置などで被験者の透視画像である断層画像を撮像する場合に使用される造影剤や、ＣＴアンギオ装置やＭＲＡ（ＭＲ  Ａｎｇｉｏ）装置などで被験者の透視画像である血管画像を撮像する場合に使用される造影剤をいう。【０００６】
第２の発明は、前記外筒と前記内筒とが同心円状に設けられていることを特徴とする第１の発明に係るシリンジである。
第２の発明によれば、外筒と内筒とが同心円状に設けられるため、外筒からの薬液の注入に偏りが生じることを防止できる。【０００７】
第３の発明は、前記内筒を支持する支持部材が前記吐出口側に設けられていることを特徴とする第１の発明又は第２の発明に係るシリンジである。
第3の発明によれば、外筒から注入する薬液の量を制限することなく、内筒を支持することが可能となる。なお、支持部材は、内筒が1つである場合、内筒と外筒の間に支持部材を設けることが可能であり、内筒が2つ以上ある場合、内筒と外筒の間に支持部材を設けることが可能であるとともに、内筒と内筒の間にも設けることが可能である。【０００８】
第４の発明は、前記吐出口から前記内筒に対する薬液の逆流を防止する弁を備えたことを特徴とする第１の発明〜第３の発明のいずれか１つに係るシリンジである。
第4の発明によれば、外筒用ピストンを引いた際に、薬液が内筒へ逆流することを防止することができる。【０００９】
第５の発明は、前記外筒用ピストン及び前記内筒用ピストンの少なくとも一方の前記吐出側の形状が、山形状であることを特徴とする第１の発明〜第４の発明のいずれか１つに係るシリンジである。
第5の発明によれば、薬液を注入するために要する力を低減することができる。【００１０】
第６の発明は、前記外筒用ピストン及び前記内筒用ピストンの少なくとも一方の前記吐出側と反対側に、前記外筒用ピストン、前記内筒用ピストンを押す押部材の先端とロック可能なロック部が設けられている、ことを特徴とする第１の発明〜第５の発明のいずれか１つに係るシリンジである。
第6の発明によれば、外筒用ピストン及び内筒ピストンは、押すだけでなく引くことも可能となり、薬液の注入に加えて吸引も可能となる。【００１１】
第７の発明は、第１の発明〜第６の発明のいずれか１つに係るシリンジが取り付けられていることを特徴とする薬液注入装置である。
第７の発明に係る薬液注入装置は、上記従来の注射器が取り付けられた薬液注入装置と比較して、簡単に制御することができる。
【発明の効果】
【００１２】
本発明によれば、従来の注射器よりも簡単な構成で、複数の薬液を簡単に注入又は吸引することが可能である。
【図面の簡単な説明】
【００１３】
【図１】本発明の実施の形態に係るシリンジ１００の概略斜視図である。
【図２】本発明の実施の形態に係るシリンジ１００のA-A断面図である。
【図３】本発明の他の実施の形態に係るシリンジ１００の断面図である。
【符号の説明】
【００１４】
１００    シリンジ
２００    外筒
３００    内筒
４００    支持部材
４１０    貫通孔
５００    吐出口
６００    弁
７００    外筒用ピストン
７１０    ロック部
８００    内筒用ピストン
８１０    ロック部
【発明を実施するための最良の形態】
【００１５】
以下に、添付した図面を参照しつつ、本発明を実施するための最良の形態を詳細に説明する。【００１６】
図１は、本発明の実施の形態に係るシリンジ１００の概略斜視図であり、図２は、本発明の実施の形態に係るシリンジ１００のA-A断面図である。
図１、２に示すように、本発明の実施の形態に係るシリンジ１００は、外筒２００と内筒３００とを備えている。本発明は、外筒２００と内筒３００の位置関係を限定するものではないが、外筒２００と内筒３００とを同心円とすれば、外筒２００からの薬液の注入に偏りが生じることを防止できるので、好ましい。
内筒３００は、支持部材４００によって外筒２００に支持されており、外筒２００内で不要な動くことがない。なお、支持部材４００は、任意の位置に設けることができるが、吐出口５００と反対側に設けると、外筒用ピストン７００の移動が妨げられてしまい、外筒２００から注入する薬液の量が制限されてしまう。したがって、支持部材４００は、本実施の形態に係るシリンジ１００のように、吐出口５００側、特に、内筒３００の先端部分に設けることが好ましい。このようにしても、内筒３００の吐出口５００と反対側の部分は、外筒用ピストン７００と内筒用ピストン８００とに挟持されるため、外筒２００に対して大きく動いてしまうということは防止される。なお、支持部材４００には、貫通孔４１０が形成されているため、薬液の移動が支持部材４００によって遮断されることはない。
内筒３００の先端には弁６００が設けられており、薬液の逆流が防止されている。
外筒用ピストン７００と内筒用ピストン８００とは独立しており、外筒用ピストン７００だけで薬液を注入し吸引することが可能であるし、内筒ピストン８００だけで薬液を注入し吸引することが可能である。
図２に示す実施の形態においては、外筒用ピストン７００と内筒用ピストン８００の先端の形状が平坦に形成されているが、外筒用ピストン７００と内筒用ピストン８００はそれぞれ任意に形成でき、特に限定されるものではない。外筒用ピストン７００と内筒用ピストン８００の先端の形状は、たとえば図３に示すように山形状に形成でき、このようにすれば薬液を注入するために要する力を低減することができる。
なお、外筒用ピストン７００と内筒用ピストン８００との吐出口５００側とは反対側の面に、切り欠きや嵌合可能な凹凸などのロック部７１０、８１０を設け、薬液注入装置（図示せず）のプレッサーなどとロックさせれば、外筒用ピストン７００及び内筒用ピストン８００を押すだけではなく、引くことが可能となる。【００１７】
以下、本発明の実施の形態に係るシリンジを用いて薬液を注入する方法の一例について説明する。
まず、外筒２００に生理食塩水を収容し、内筒３００に造影剤を収容する。ここで、造影剤とは、ＣＴ（Ｃｏｍｐｕｔｅｄ  Ｔｏｍｏｇｒａｐｈｙ）スキャナ、ＭＲＩ（Ｍａｇｎｅｔｉｃ  Ｒｅｓｏｎａｎｃｅ  Ｉｍａｇｉｎｇ）装置、ＰＥＴ（Ｐｏｓｉｔｒｏｎ  Ｅｍｉｓｓｉｏｎ  Ｔｏｍｏｇｒａｐｈｙ）装置などで被験者の透視画像である断層画像を撮像する場合に使用されるものや、ＣＴアンギオ装置やＭＲＡ（ＭＲ  Ａｎｇｉｏ）装置などで被験者の透視画像である血管画像を撮像する場合に使用されるものである。
次ぎに、吐出口５００に接続されるチューブ（図示せず）に混入している気泡を取り除くべく、外筒用ピストン７００を押して、外筒２００に収容されている生理食塩水を吐出口５００から吐出する。
次ぎに、内筒用ピストン８００を押して、内筒３００に収容されている造影剤を吐出口５００から吐出する。この際、内筒用ピストン８００を引いても、弁６００が設けられているため、薬液がシリンジ１００に逆流することはない。
次ぎに、本発明の実施の形態に係るシリンジを用いて薬液を注入する方法の他の一例について説明する。
まず、内筒３００に造影剤を収容する。
次ぎに、外筒用ピストン７００を引いて、外筒２００に薬液を吸引する。この際、弁６００が設けられているため、薬液が内筒３００に逆流することはない。
次ぎに、内筒用ピストン８００を押して、内筒３００に収容されている造影剤を吐出口５００から注入する。【００１８】
以上説明した本発明の実施の形態に係るシリンジ１００によれば、従来の注射器よりも簡単な構成で、複数の薬液を簡単に注入又は吸引することが可能である。また、以上説明した本発明の実施の形態に係るシリンジ１００によれば、２つのシリンジを取り替えることなく、２種類の薬液を注入できる。また、薬液の注入・吸引の必要がある場合でも、２つのシリンジを取り替える必要がない。したがって、本発明の実施の形態に係るシリンジ１００によれば、薬液の注入・吸引についての処理に要する時間や手間を削減できるとともに、処理ミスによる医療過誤を防止することが可能となる。【００１９】
以上の説明は、実施の形態に関するものであるから、本発明は、上記の説明によって何ら限定されない。たとえば、上記の説明では、シリンジ１００が外筒２００と内筒３００という２つの筒を有することとしたが、本発明に係るシリンジは、３つ以上の筒を有することも可能である。また、外筒用ピストン７００及び内筒用ピストン８００は、それぞれ外筒２００及び内筒３００に充填された薬液を吐出口に向けて押せれば足りるが、「押す」に加えて「引く」ことも可能である。上記実施の形態に係るシリンジ１００は、外筒用ピストン２００及び内筒用ピストン３００を「押す」及び「引く」ことが可能な場合、薬液を注入可能なシリンジであるばかりでなく、薬液を含む液体を吸引可能なシリンジともなる。
【図１】
2007129445.tif 000003
【図２】
2007129445.tif 000004
【図３】
2007129445.tif 000005
【国際調査報告】
2007129445.tif 000006
2007129445.tif 000007
2007129445.tif 000008
2007129445.tif 000009
2007129445.tif 000010
2007129445.tif 000011
2007129445.tif 000012